(57)【要約】      （修正有）【課題】引き舟を係留する際に石などの間に固定し易くし、釣り人の腰に取り付けた時に釣り人の違和感を抑える引き舟用アンカーを提供する。【解決手段】引き舟用アンカー１０は、引き舟を、引き綱５２を介して係留するためのものであり、概ね球体をなす。引き綱５２を繋ぐ連結部２４を備えたシャフト２０と、そのシャフト２０の先端部に外側方向へ開閉自在に設けた複数の錨爪部材４１，４１・・・と、を備える。複数の錨爪部材４１，４１・・・は、閉じた時にシャフト２０の周囲を曲面にて囲む形状である。錨爪部材４１，４１・・・は、球面を形成し、少なくとも三方の放射方向へ開閉自在とする。【選択図】図１
0003196687.tif 000002
【実用新案登録請求の範囲】
【請求項１】
引き舟を、引き綱を介して係留する引き舟用アンカーであって、
引き綱を繋ぐ連結部を備えたシャフトと、
そのシャフトの先端部に外側方向へ開閉自在に設けた複数の錨爪部材と、を備え、
前記の複数の錨爪部材は、閉じた時に前記のシャフトの長手方向に垂直な断面形状が曲線にて囲まれている形状とした引き舟用アンカー。
【請求項２】
前記の複数の錨爪部材は、少なくとも三方の放射方向へ開閉自在である請求項１に記載の引き舟用アンカー。
【請求項３】
前記の複数の錨爪部材が閉じた状態で外面形状を曲面状である請求項１または請求項２に記載の引き舟用アンカー。
【考案の詳細な説明】
【技術分野】
【０００１】
本考案は、鮎釣りなどに用いられる引き舟を、引き綱を介して係留するために使用する引き舟用アンカーを提供する技術に関する。
【背景技術】
【０００２】
従来から、鮎釣りにおいては、釣り上げた鮎やおとり鮎を収納するための道具として、「引き舟」、「曳舟」、「鮎舟」、「友舟」などと呼ばれる前側を先細りさせた舟形の容器（以下、「引き舟」とする）が使われている。
引き舟は、その前側にある船首付近に繋がれた引き綱、釣り上げた鮎を釣り人が片手で挿入するための鮎投入口、などを備えている。  引き綱を釣り人の腰へ固定して係留しておき、鮎を釣り上げたときには、その引き綱を操作して引き舟を引き寄せ、鮎投入口から鮎を投入するのである。
【０００３】
しかし、鮎釣りしている間に、釣り人が動きまわるのに引き舟が邪魔になる場合がある。その場合、引き綱を釣り人の腰から外して、曳舟（引き舟）をどこかに係留する必要がある。特許文献１では、引き綱の先端に取り付けられた曳舟用アンカーを川底や岸辺の石の間に固定し、曳舟用アンカーによって曳舟（引き舟）を係留させる。
【０００４】
特許文献１の曳舟用アンカー（全体で一つの錨爪形状となる複数の錨爪部材を有している。各錨爪部材は後端部に爪部を有している。また、複数の錨爪部材における先端部の間を開閉するように回転可能に設けられている。さらに、複数の錨爪部材は、その先端部が開閉における閉状態となるように付勢されている。
【０００５】
錨爪部材の爪部を押さえて錨爪部材の先端部を開状態とし、釣り人の腰ベルト等の取付部を挿入する。その状態で、爪部から手を離すと、前記先端部が閉状態となって腰ベルト等の取付部へ引っ掛けられる。曳舟用アンカーとして用いるときは、錨爪部材の爪部を押さえて錨爪部材の先端部を開状態として腰ベルト等の取り付け部から外す。曳舟用アンカーを川底や岸辺の石の間に固定することで、引き舟を係留する。
【先行技術文献】
【特許文献】
【０００６】
【特許文献１】特開２０００−１２５７４１号公報
【考案の概要】
【考案が解決しようとする課題】
【０００７】
特許文献１では、例えば、錨爪部材が２つの場合は、曳舟用アンカーの全体がほぼ平板状となる。そのため、川底や岸辺の石の間に固定しようとしても、２つの錨爪部材の爪部を石で押さえにくい。また、曳舟用アンカーが石の間からすり抜けてしまうことがある。
【０００８】
また、引き舟用アンカーの先端部を釣り人の腰ベルト等へ取り付けるので、錨爪部材の爪部が下向きになることで、釣り人のタイツなどの衣服への引っ掛かりを抑えるとしている。  しかし、錨爪部材の爪部を石で押さえ易くするために、錨爪部材を３つ以上とした場合、平板状ではなくなる。この引き舟用アンカーを釣り人の腰ベルト等へ取り付けると、錨爪部材の爪部が釣り人の衣服へ当たることになる。そのため、錨爪部材の爪部が釣り人に違和感を与えたり、ベルト付近に装着した別の部材と干渉したりすることがある。
【０００９】
本願考案が解決しようとする課題は、引き舟を係留する際に石などの間に固定し易くし、釣り人の腰に取り付けた時に釣り人の違和感を抑える引き舟用アンカーを提供することにある。
【課題を解決するための手段】
【００１０】
（本願考案）
本願における考案は、  引き舟(51)を、引き綱(52)を介して係留する引き舟用アンカー(10)に係る。
引き綱(52)を繋ぐ連結部(24)を備えたシャフト(20)と、  そのシャフト(20)の先端部に外側方向へ開閉自在に設けた複数の錨爪部材(41,41，・・・)と、を備え、
前記の複数の錨爪部材(41,41，・・・)は、閉じた時に前記のシャフト(20)の長手方向に垂直な断面形状が曲線にて囲まれている形状である。
【００１１】
（用語説明）
複数の錨爪部材(41,41，・・・)が閉じた時に「シャフト(20)の長手方向に垂直な断面形状が曲線にて囲まれている形状」とは、たとえば、隣り合う錨爪部材(41,41，・・・)が突き当たった状態で囲む場合の他、隣り合う錨爪部材(41,41，・・・)に隙間がある状態で囲む場合、隣り合う錨爪部材(41,41，・・・)が重なり合った状態で囲む場合、段突き部にて突き合わせた状態で囲む場合、その他の形態で滑らかに囲まれていることも含まれる。
【００１２】
（作用）
複数の錨爪部材(41,41，・・・)を閉じると、シャフト(20)の周囲を複数の錨爪部材(41,41，・・・)で曲面にて囲む形状であるので、引き舟用アンカー(10)は突起を無くした外形形状となる。引き舟用アンカー(10)を釣り人の腰へ取り付けることで引き綱(52)を介して引き舟(51)を牽くことになる。この時、引き舟用アンカー(10)は釣り人に対して違和感を与えたり、ベルト付近に装着した別の部材と干渉したりすることを抑えられる。
一方、引き舟(51)を係留する場合、複数の錨爪部材(41,41，・・・)を外側方向に開いた状態では、各錨爪部材(41,41，・・・)が広い幅を持った部材であるので、石を載せ易い。したがって、石の間に固定することが容易であり、引き舟(51)は引き綱(52)を介して係留される。
【００１３】
（本願考案のバリエーション１）
本願考案は、前記の複数の錨爪部材(41,41，・・・)が、少なくとも三方の放射方向へ開閉自在であることがより好ましい。
【００１４】
（作用）
複数の錨爪部材(41,41，・・・)が少なくとも三方の放射方向へ開閉自在であれば、例えば、川底の石を、放射方向に開いた状態の３つ以上の錨爪部材(41,41，・・・)の上に載せるので、安定性があり、石の間に容易に固定することができる。
【００１５】
（本願考案のバリエーション２）
本願考案は、  前記の複数の錨爪部材(41,41，・・・)が閉じた状態で外面形状を曲面状とすることがより好ましい。
【００１６】
（作用）
複数の錨爪部材(41,41，・・・)が閉じた状態で外面形状が曲面状であれば、釣り人に対する当たりが軟らかいので、違和感や衣服への引っ掛かりなどのダメージを、よりいっそう抑えられる。
【考案の効果】
【００１７】
第一の考案によれば、引き舟を係留する際に石などの間に固定し易くし、釣り人の腰に取り付けた時に釣り人の違和感を抑える引き舟用アンカーを提供することができた。
【図面の簡単な説明】
【００１８】
【図１】本考案の実施形態で錨爪部材を開いた状態を示す斜視図である。
【図２】本考案の実施形態で錨爪部材を閉じた状態を示す斜視図である。
【図３】引き舟用アンカーを釣り人へ取り付けた状態を示す斜視図である。
【図４】引き舟用アンカーを川底の石で固定した状態を示す斜視図である。
【考案を実施するための形態】
【００１９】
以下、本考案の実施形態に係る引き舟用アンカーについて図面を参照して説明する。ここで使用する図面は、図１から図４である。
図１では、引き舟用アンカーの錨爪部材を開いた状態を、図２では、錨爪部材を閉じた状態の引き舟用アンカーを、それぞれ示す。図３は、引き舟用アンカーを釣り人の腰ベルトへ取り付けて引き舟を牽いた状態を、図４は、引き舟用アンカーを川底の石で固定して引き舟を係留した状態を、それぞれ示す。
【００２０】
本実施形態に係る引き舟用アンカー１０は、引き綱５２を介して引き舟５１を係留するためのものである。引き綱５２を繋ぐ連結部２４を備えたシャフト２０と、そのシャフト２０の先端部に外側方向へ開閉自在に設けた複数の錨爪部材４１，４１，・・・と、を備える。
【００２１】
シャフト２０は、スライド孔２２を中心に備えた中空のスライド筒２１と、そのスライド筒２１のスライド孔２２に挿入させてスライド筒２１を軸方向へスライドさせるセンターシャフト２３と、を備えている。センターシャフト２３は、図１において上方向の後端に、連結部２４である連結用孔２４ａを形成している。連結用孔２４ａには連結用リング２５を取り付け、その連結用リング２５に引き綱５２を繋ぐ。センターシャフト２３は、アンカー基部３０と一体的に連結して形成している。すなわち、中空のスライド筒２１は、センターシャフト２３におよびアンカー基部３０に対して相対的に移動可能である。
【００２２】
アンカー基部３０は、図１において下方向の先端に向けてほぼ半球状に湾曲形成しているが、その形状は特に限定されない。前記のアンカー基部３０に複数の錨爪部材４１，４１，・・・を回動自在に設ける。
【００２３】
複数の錨爪部材４１，４１，・・・は、３つ以上であることが望ましい。本実施形態では、３つの錨爪部材４１，４１，４１が、アンカー基部３０の図１において上側である後端部の外周に、三方の放射方向へ開閉自在に取り付けられている。３つの錨爪部材４１，４１，４１は、図２に示すように、爪部の外面が閉じた時に前記のシャフト２０の周囲を囲む形状となる。図２では、引き舟用アンカー１０が全体として卵形状のように円滑な曲面を形成している。すなわち、各錨爪部材４１，４１，４１は、卵形状を３分割した形状を形成している。
【００２４】
「爪部の外面が閉じた時に前記のシャフト２０の周囲を囲む形状」とは、隣り合う錨爪部材４１，４１，・・・がシャフト２０の周囲（外周面）に突き当たった状態で囲むことの他、隣り合う錨爪部材４１，４１，・・・に隙間がある状態で囲むこと、隣り合う錨爪部材４１，４１，・・・が重なり合った状態で囲むこと、段突き部にて突き合わせた状態で囲むこと、その他の形態で囲むことも含まれる。
【００２５】
なお、錨爪部材４１が２つである場合は、２つの錨爪部材４１，４１がアンカー基部３０の後端部に、シャフト２０を中心とした対称位置で外側方向へ開閉自在に取り付けられる。各錨爪部材４１は、シャフト２０の周囲を囲む半割り形状となる。
【００２６】
各錨爪部材４１は、外面を曲面状に形成することが望ましいが、限定されない。内面は、３つの錨爪部材４１，４１，４１が閉じた時にシャフト２０の周囲を囲む形状であればよく、曲面状でなくてもよい。
図示は省略するが、たとえば、錨爪部材が閉じた状態における断面形状が正八角形や正六角形のような正多角形となる場合は、曲面状でなくても、釣り人としては違和感を軽減されるであろう。更にその多角形の一部が曲面状に形成されている場合には、より好ましい。
【００２７】
各錨爪部材４１は、図２において下側の端部に、支持片４２を下方に向けて突出している。さらに、各支持片４２には回転軸孔を形成している。
【００２８】
アンカー基部３０における後端側（図１において上側）には、各錨爪部材４１の支持片４２を挿入可能な切欠き３１，３１，・・・が、外周面からシャフト中心側に亘るように形成されている。さらに、アンカー基部３０における後端側の外周には、例えば、シャフト２０の中心方向に垂直な断面の外周円における弦の位置に、切欠き３１，３１，・・・を突き抜ける軸孔３２，３２，・・・を形成する。
前記のアンカー基部３０の各切欠き３１に、対応する各錨爪部材４１の支持片４２を挿入する。前記の軸孔３２，３２，・・・へ支軸を挿入し、各支持片４２の回転軸孔を通過するように挿入することで、各錨爪部材４１を回転自在に軸支する。
【００２９】
アンカー基部３０における先端（図１において下側）には、突起部３３を形成し、その突起部３３には、取付用孔３４を形成している。取付用孔３４には取付用リング３５を取り付けている。取付用リング３５は、例えば、釣り人の腰ベルト５３などに備えた着脱可能な取付具５４へ装着するためのものである。
【００３０】
アンカー基部３０の内部には、ロック機構を設けている。すなわち、３つの錨爪部材４１，４１，４１の支持片４２，４２，４２は、スライド筒２１の図１において下側の先端部とロック機構を介して係合する。そのロック機構の一例として、センターシャフト２３を、センターシャフト２３の端部に親指を当て、内蔵されたスプリングに抗してスライド筒２１の上端を引き上げると、スライド筒２１および支持片４２，４２，４２が係合することでロックされていたロック機構が外れる。そして、図１に示すように、３つの錨爪部材４１，４１，４１が支軸を中心に回動して三方の放射方向に開く。３つの錨爪部材４１，４１，４１が一旦開くと、内蔵されたスプリングが機能することによってスライド筒２１が戻ることは出来ず、３つの錨爪部材４１，４１，４１は閉じない状態を維持できる構造である。
【００３１】
３つの錨爪部材４１，４１，４１を閉じたい場合は、スライド筒２１を連結部２４の方向に向けて引き上げつつ釣り人が手で閉じる方向へ回動させる。そして、図２に示すように、３つの錨爪部材４１，４１，４１がシャフト２０の周囲を囲む位置に戻った後に、引き上げていたスライド筒２１を開放すると、内蔵されたスプリングにてスライド筒２１が元に戻り、ロック機構によって３つの錨爪部材４１，４１，４１を閉じた状態に保持される。引き舟用アンカー１０は、図２に示すように、全体として卵形状のように円滑な曲面状を形成している。
【００３２】
３つの錨爪部材４１，４１，４１が閉じた状態の引き舟用アンカー１０は、図３に示すように、アンカー基部３０の取付用リング３５を釣り人の腰ベルト５３などに備えた着脱可能な取付具５４へ引っ掛ける。釣り人は、引き舟用アンカー１０の連結用リング２５に繋いだ引き綱５２を介して引き舟５１を牽くことになる。この時、引き舟用アンカー１０は外面に突起がなく、外形形状が全体として卵形状のような曲面状であるので、釣り人に対して突起による点当たり感を抑えることができる。また、引き舟用アンカー１０が衣服を擦ることがほとんどなく、ベルト付近に装着した他の道具や衣服への引っ掛かりを抑えることができる。よって、引き舟用アンカー１０からの違和感を軽減できる。
【００３３】
引き舟５１を係留する場合、引き舟用アンカー１０の先端の取付用リング３５を釣り人の腰ベルト５３などに備えた取付具５４から外す。センターシャフト２３に対してスライド筒２１を連結部２４の方向に向けて引き上げると、ロック機構が外れて、図１に示すように、３つの錨爪部材４１，４１，４１の支持片４２，４２，４２が支軸を中心に回動して三方の放射方向に開く。この開いた状態は、例えば、川底の石を引き舟用アンカー１０の３つの錨爪部材４１，４１，４１の上に載せるのに安定性があり、石の間に容易に固定することができる。引き舟５１は引き綱５２を介して係留される。なお、引き舟用アンカー１０を例えば岸辺の石の間に固定する場合でも同様である。
【００３４】
なお、錨爪部材４１が２つである場合は、３つ以上の錨爪部材４１，４１，・・・と比べれば、石の間に固定するのに安定性に欠ける。しかし、各錨爪部材４１は、シャフト２０の周囲を囲む半割り形状であるので、全体として従来の特許文献１のような平板状とはならない。各錨爪部材４１は、開いた時に広い幅を持った部材となるので、石を載せ易いものである。従来に比べれば、石の間に固定するのに安定性に優れている。
【産業上の利用可能性】
【００３５】
本考案は、釣り具の製造業、販売業またはレンタル業、アウトドアスポーツのインストラクター事業などにおいて、利用可能性を有する。
【符号の説明】
【００３６】
１０：  引き舟用アンカー
２０：  シャフト                      ２１：  スライド筒
２２：  スライド孔                    ２３：  センターシャフト
２４：  連結部                        ２４ａ：  連結用孔
２５：  連結用リング
３０：  アンカー基部                  ３１：  切欠き
３２：  軸孔                          ３３：  突起部
３４：  取付用孔                      ３５：  取付用リング
４１：  錨爪部材                      ４２：  支持片
５１：  引き舟                        ５２：  引き綱
５３：  腰ベルト                      ５４：  取付具
【図１】
0003196687.tif 000003
【図２】
0003196687.tif 000004
【図３】
0003196687.tif 000005
【図４】
0003196687.tif 000006